(57)【特許請求の範囲】
【請求項１】
断熱容器内に開封した飲料容器を出し入れできるように収容して、外部から操作するポンプと飲料供給路とを持った蓋で密閉し保温または保冷状態とするのに併せ、前記密閉の手順上飲料供給路の一端を飲料容器内にその開封口を通じ臨ませておき、密閉した断熱容器内を前記ポンプによって加圧空気を送り込んで加圧してこの加圧を飲料容器内の飲料にもその開封口を通じて及ばせ、飲料容器内の一端からその開封口を経て断熱容器外部に臨んだ端部に接続したコックにより開閉され、かつコックとの接続部直下に螺旋状の引き回し部が位置して前記引き回し部より緩やかな曲線状の飲料供給路を通じ飲料容器内の飲料を前記加圧により押し出して注出し供給することを特徴とする飲料供給方法。
【請求項２】
飲料容器を出し入れできるように収容して密閉し保温または保冷する断熱容器と、前記密閉のための蓋と、この蓋に設けられて外部操作で前記断熱容器内に加圧空気を送り込んで加圧するポンプと、前記蓋に設けられて前記断熱容器に収容される飲料容器内に前記蓋の密閉手順上前記飲料容器内にその開封口を通じて一端が臨まされ、他端が断熱容器外に臨んで前記断熱容器内の加圧が開封口を通じて及ぶ飲料容器内の飲料を外部に導き注出する飲料供給路と、を備え、飲料供給路は、飲料供給路の断熱容器外に臨んだ他端に設けられてその飲料供給路を開閉するコックと、前記コックとの接続部直下に位置した前記飲料供給路より曲率の大きな螺旋状の引き回し部とを有していることを特徴とする飲料サーバ。
【請求項３】
飲料供給路を通じた飲料の注出にかかわらない系統での安全弁を備えた請求項２に記載の飲料サーバ。
【請求項４】
断熱容器と蓋とは、少しの回動を伴い結合および分離ができるねじ合わせ部または係合部を備えている請求項２、３のいずれか１項に記載の飲料サーバ。
【請求項５】
断熱容器を凹部に嵌め合わせて安定させる台座を備えた請求項２〜４のいずれか１項に記載の飲料サーバ。
【請求項６】
断熱容器は真空二重容器である請求項２〜５のいずれか１項に記載の飲料サーバ。
【発明の詳細な説明】
【０００１】
【発明の属する技術分野】
本発明は、容器に入った飲料をそのまま保温や保冷しながら加圧により注出して必要量ずつ供給できる飲料サーバに関するものである。
【０００２】
【従来の技術】
従来、飲料サーバはビールや清涼飲料、酒類などの販売に採用されている。清涼飲料はそれ自体を保温または保冷容器に収容し、それを自然流出によって注出し、供給するようにしている。加圧注出するビールサーバは特開２０００−１４２８９３号公報などで知られているように、ビール樽内のビールを炭酸ガスボンベからの炭酸ガスにより加圧して冷却器を経由する供給路に送り込み、コックが開かれる都度ビールを注出し、供給するようにしている。
【０００３】
【発明が解決しようとする課題】
ところで、上記従来の飲料サーバは主として営業用に開発されたもので、大掛かり過ぎるし、小型化するにも高価につく上、圧縮した炭酸ガスを使用するので危険でもあり、ランニングコストが掛かるので、家庭などで個人的に使用するのには向かない。そこで、容器に入れて市販される飲料を、その容器のまま加圧状態においてコックを開く都度注出できれば便利である。
【０００４】
しかし、缶入りのビールや清涼飲料は、缶の鏡板に設けられた飲み口をプルトップの引っ張り操作により切り開いて開封し、飲むようになっていて、缶入りの飲料を加圧状態にして注出するために開封した飲み口を密閉し加圧状態にしようとしても、アルミニウム製の缶では特に変形しやすく安定せず漏れが生じ、うまく加圧できない問題がある。また、ビールや炭酸清涼飲料などでは時間の経過とともに炭酸が逃げてしまい美味しくなくなる。さらに加圧が万全にできても加圧空気を溜める空間が狭く蓄圧状態にしてバルブを開く都度注出できるような使用が長い時間継続できない。満杯のときの初期加圧はあまりできず少量の飲料しか注出できない。
【０００５】
本発明の目的は、容器入りの飲料をそのまま保温、保冷しながら漏れなく確実に加圧して注出し供給でき、家庭などで手軽に使用されるのに適した安価で安全な飲料供給方法とそれに用いる飲料サーバを提供することにある。
【０００６】
【課題を解決するための手段】
上記のような目的を達成するために、本発明の飲料供給方法は、断熱容器内に開封した飲料容器を出し入れできるように収容して、外部から操作するポンプと飲料供給路とを持った蓋で密閉し保温または保冷状態とするのに併せ、前記密閉の手順上飲料供給路の一端を飲料容器内にその開封口を通じ臨ませておき、密閉した断熱容器内を前記ポンプによって加圧空気を送り込んで加圧してこの加圧を飲料容器内の飲料にもその開封口を通じて及ばせ、飲料容器内の一端からその開封口を経て断熱容器外部に臨んだ端部に接続したコックにより開閉され、かつコックとの接続部直下に螺旋状の引き回し部が位置して前記引き回し部より緩やかな曲線状の飲料供給路を通じ飲料容器内の飲料を前記加圧により押し出して注出し供給することを特徴とするものである。
【０００７】
このような構成では、断熱容器に開封した飲料容器を出し入れできるように収容して、ポンプと飲料供給路とを持った蓋で密閉するのに併せ、前記密閉の手順上飲料供給路の一端を飲料容器内に開封口を通じ臨ませておき、断熱容器内をポンプにより加圧空気を送り込んで加圧してそれが収容した飲料容器内にその開封口を通じて及ぶようにするので、飲料容器がアルミニウム製の缶など変形しやすい不安定なものであってもその中の飲料を確実に加圧することができ、飲料容器内からその開封口を経て断熱容器の外部に至る飲料供給路を通じて飲料容器内の飲料を前記加圧により押し出して注出し供給することができ、安価に実現するとともに使用に安全であり、ランニングコストも掛からないので、家庭などで個人的に用いるのに好適である。しかも、飲料が温められたもの、冷やされたものであればそのまま、常温のものでも蓄熱材や発熱触媒などの熱源、あるいは氷入り冷水などの冷熱源と共に収容して断熱容器の断熱機能によって効果的に保温や保冷が長時間効率よくできるし、断熱容器は基本的に飲料容器を収容して加圧できる程度のものでよいので大型化なものにならず、手軽に繰り返し使用することができ家庭などで個人的に利用するのに好適である。また、飲料容器が外にでないので体裁がよくホームバー的な雰囲気を作り出すのに好適である。特に、飲料供給路はコックにより常時閉じて前記加圧状態を保持しておき、注出コックが開かれる都度、飲料容器内の飲料を前記加圧状態によって注出するようにもでき、営業用に近い機能が安価に実現でき使用しやすい。その際コックとの直下に位置する前記飲料供給路より曲率の大きな螺旋状の引き回し部を経て注出させられる。また、常時コックが閉じていることによって、断熱容器内の圧力が高い状態に保たれ、常圧の場合に比べると飲料中に溶存可能な飽和炭酸量を多くすることができ、飲料がビールや炭酸飲料などであっても炭酸が発散するのを防止することもできる。
【０００９】
以上のような飲料の供給方法に用いる飲料サーバは、基本的に、飲料容器を出し入れできるように収容して密閉し保温または保冷する断熱容器と、前記密閉のための蓋と、この蓋に設けられて外部操作で前記断熱容器内に加圧空気を送り込んで加圧するポンプと、前記蓋に設けられて前記断熱容器に収容される飲料容器内に前記蓋の密閉手順上前記飲料容器内にその開封口を通じて一端が臨まされ、他端が断熱容器外に臨んで前記断熱容器内の加圧が開封口を通じて及ぶ飲料容器内の飲料を外部に導き注出する飲料供給路と、を備え、飲料供給路は、飲料供給路の断熱容器外に臨んだ他端に設けられてその飲料供給路を開閉するコックと、前記コックとの接続部直下に位置した前記飲料供給路より曲率の大きな螺旋状の引き回し部とを有していることを特徴とするもので足りる。
【００１１】
上記において、さらに、飲料供給路を通じた飲料の注出にかかわらない系統での安全弁を備えたものとすることができ、前記コックを閉じておいて断熱容器内をポンプで加圧すると、その加圧状態を安全弁による安全対策を伴い保つことができる。
【００１４】
上記において、さらに、断熱容器と蓋とは、少しの回動を伴い結合および分離ができるねじ合わせ部または係合部を備えたものとすることができる。
【００１５】
上記において、さらに、断熱容器を凹部に嵌め合わせて安定させる台座を備えたものとすることができる。
【００１８】
断熱容器が真空二重容器であると、軽量かつかさ低いもので断熱効果の高いものとすることができる。
【００１９】
本発明のそれ以上の目的および特徴は、以下の詳細な説明および図面によって明らかになる。本発明の各特徴は可能な限りにおいて、それ単独で、あるいは種々な組合せで複合して用いることができる。
【００２０】
【実施例】
以下、本発明の飲料供給方法とそれに用いる飲料サーバに係る幾つかの実施例につき図を参照しながら詳細に説明し、本発明の理解に供する。
【００２１】
本実施例はいずれも缶入りのビールをそのままで断熱容器に収容して加圧することにより注出し供給するものであるが、本発明はこれに限られることはなく、基本的には、びん、ペットボトルなどの樹脂容器、他の缶など各種の容器に入った飲料をそのまま断熱容器に収容して加圧することにより注出し供給できるようにするものであればよく、いずれも本発明の範疇に属する。
【００２２】
本実施例に係る飲料供給方法は、図１、図２の実施例１、図３の実施例２、図４の実施例３、図５の実施例４のように、断熱容器１内に開封した飲料容器であるビール缶２を出し入れできるように収容して密閉し保冷状態とする。次いで、前記密閉した断熱容器１内を外部から操作するポンプ３によって加圧してこの加圧をビール缶２内の飲料であるビール６にもその開封口である飲み口４を通じて及ばせ、ビール缶２内からその飲み口４を経て断熱容器１の外部に至る飲料供給路５を通じビール缶２内のビール６を前記加圧により押し出して注出し供給する。
【００２３】
このように断熱容器１に開封したビール缶２を出し入れできるように収容して密閉し、断熱容器１内を加圧してそれが収容したビール缶２にその飲み口４を通じて及ぶようにするので、ビール缶２がアルミニウム製で変形しやすい不安定なものであってもその中のビール６を確実に加圧することができる。この加圧を受けるビール６はビール缶２から前記飲料供給路５を通じて外部に押し出されようとするので、実施例３、４のように飲料供給路５が常時開いているようにすると、前記加圧を行なうのと同時にビール缶２内のビール６を前記加圧により押し出して注出し供給することができ、安価に実現するし使用に安全であり、ランニングコストも掛からないので、家庭などで個人的に使用するのに好適である。また、ビール缶２に変わってペットボトルなど軟弱な飲料容器を収容して用いる場合でも、開封状態で加圧するので、アルミニウム製のビール缶なども含め、圧力は飲料容器の内外に均等に及ぶので、加圧により変形したり損傷したりするようなことが解消される。
【００２４】
実施例１、２のように飲料供給路５にコック８が設けられていて常時閉じられていると、前記ポンプ３による加圧によってもビール６は押し出されず、断熱容器１内は加圧状態のままに保持される。従って、断熱容器１内を十分に加圧しておくと、後はコック８を開く都度ビール６を自動的に注出し供給することができる。このため、営業用に近い機能が安価に実現でき使用しやすい。また、常時コック８が閉じていることによって断熱容器１内が高い圧力状態に保たれるので、飲料中に溶存する飽和炭酸量を多くすることができ、飲料がビールや炭酸飲料などであっても炭酸が発散するのを防止することもできる。特に、コック８にて断熱容器１内を加圧状態に保つのに、断熱容器１がビール缶２のまわりに形成する空間を加圧室にして加圧を行なうので、ビール缶２が満杯であるかどうかに関係なく十分に大きな加圧室を満足してコック８を開く都度自動注出するような使用を長い時間継続して行なえる。
【００２５】
ビール６が冷やされたものであればそのまま、常温のものでも氷１１や氷入り冷水、冷水などの冷熱源と共にビール缶２を収容して断熱容器１の断熱機能によって効果的に保冷ができる。従って、コック８を持った実施例１、２などで長い時間掛けてビール６が供給できるようにするような場合に特に有効である。もっとも、酒、お茶、コーヒなどで暖めて飲むような場合、暖めたものをそのまま収容して、また常温でも蓄熱材や発熱触媒などの熱源とともに収容することにより保温することができる。
【００２６】
しかも、断熱容器１は基本的に飲料容器を収容して加圧できる程度のものでよいので大型化なものにならず、手軽に繰り返し使用することができ家庭などで個人的に利用するのに好適である。また、ビール缶２が外にでないので体裁がよくホームバー的な雰囲気を作り出すのに好適である。
【００２７】
以上のような飲料の供給方法に用いる飲料サーバとしては、実施例３、４にて共通しているように、基本的に、ビール缶２を出し入れできるように収容して密閉し保温または保冷する断熱容器１と、この断熱容器１内を加圧するポンプ３と、前記断熱容器１に収容されるビール缶２内にその飲み口４を通じて一端が臨み、他端が断熱容器１外に臨んで前記断熱容器１内の加圧が飲み口４を通じて及ぶビール缶２内のビール６を外部に導き注出する飲料供給路５と、を備えたもので足り、飲料供給路５がコック８を持たないより簡易で安価なものとして提供することができ、ポンプ３を操作して断熱容器１内を加圧する都度、断熱容器１に収容され保温、保冷されている飲料容器内の飲料を飲料容器の開封口を通じて加圧が及ぶことにより、飲料容器内からその開封口を経て断熱容器１外に臨んでいる飲料供給路５を通じて外部に押し出して注出し供給することができる。しかし、実施例１、２に示すように飲料供給路５の他端側に設けられたコック８を備えるのが前記のように好都合である。
【００２８】
図１、図２に示す実施例１に付き詳述すると、断熱容器１が、ビール缶２を出し入れできるように収容して密閉し保温または保冷する容器本体１２およびその蓋１３とからなり、ポンプ３および飲料供給路５が蓋に設けられ、ポンプ３の操作部１４が蓋１３の天面１３ａに位置して上下操作または押し下げ操作されるようにしている。これにより、特に、断熱容器１が容器本体１２とその蓋１３とで構成されて、蓋１３を開くことによって蓋１３にあるポンプ３や飲料供給路５の影響なしにビール缶２を容器本体１２に簡単に出し入れすることができるし、蓋１３を閉じることによって断熱容器１を前記加圧ができる密閉状態に容易にすることができるし、加圧は蓋１３の天面１３ａに位置している操作部１４を断熱容器１の頂部にて安定に上下動ないしは押し下げの操作して容易に行なえる。しかも、蓋１３を閉じる手順上で飲料供給路５の一端を前記容器本体１２に収容しているビール缶２の飲み口４に図１、図３に示すように差し込んで加圧されるビール６を外部に導き出せるようにするので、飲料供給路５の一端をビール缶２内に臨ませるのに特別な操作が不要で使用しやすいものとなる。
【００２９】
また、飲料供給路５がコック８側に偏った位置にて容器本体１２内に垂下するようにしている。これにより、ビール缶２が図６に示すようなプルトップ１７によって切り開く飲み口４を持った缶であって、開封した飲み口４がビール缶２の鏡板２ａの片側に偏っているのに関連して、飲料供給路５の一端を飲み口４からビール缶２内に差し込みながら蓋１３を閉じるのに、ビール缶２の飲み口４側が図１に示すようにコック８側に向くように自然位置決めされるようになるので、飲料供給路５がコック８側に偏った位置にて垂下する短いものにて難なくビール６を注出し供給することができる。同時に、ビール缶２は断熱容器１内のコック８側近くに位置することになるので、その胴径の大きさによっては断熱容器１の反対の側に熱源や冷熱源を入れて保温や保冷などすることができる。保冷は氷水を入れるのが効果的で、ビール缶２を交換するような場合に邪魔にならない利点がある。氷だけを用いるようなときは、図６に示すような容器１６に入れて収容すると、飲料容器を交換するのにバラの氷が広がって邪魔になるのを防止することができる。
【００３０】
なお、容器本体１２にこれが収容するビール缶２を図１に示すようにコック８側に偏った位置に位置決めして受け入れる容器ホルダ２１を設けると、前記のような位置決めがより戸惑いや間違いなく行なわれる。図１に示す容器ホルダ２１は樹脂成形品であって位置決めのための凹部２１ａを１つ持ち着脱できるようにしている。これによって、容量が異なるビール缶２に対してはそれに合ったものと取り替えることにより対応することができるし、丸洗いに便利である。もっとも、図６に示すように大きさの違う複数の凹部２１ａを持った容器ホルダ２１を用い、使用するビール缶２に対応するサイズの凹部２１ａがコック８側になるよう向きを変えて用いるようにしている。使用しない凹部２１ａは前記氷の容器１６を嵌め込んで使用するようにしてもよい。なお、凹部２１ａは容器本体１２の底部内面に形成してもよいし、これと容器ホルダ２１と併用することもできる。
【００３１】
また、図１に示すようにコック８とそれより内側の飲料供給路５との接続部２０がコック８とポンプ３との間に位置している。これにより、接続部２０が単独で、ないしはその直ぐ下に設けられる飲料供給路５の引き回し部５ａなど付帯構造部を含めて、ポンプ３と横並びで断熱容器１内に位置することになり、それらが縦並びになる場合よりも断熱容器１をかさ低くしながら、これら接続部２０およびポンプ３の配置部まわりの空間もビール缶２内を加圧するための加圧室２２に有効利用してその容量を大きく蓄圧容量の高いものとし、ビール６が注出できる有効加圧状態を長引かせることができる。
【００３２】
また、図１に示すようにコック８が操作部１４の最下位置以下に位置している。これにより、断熱容器１の頂部で操作部１４を上下動ないしは押し下げ操作を行なうのに、最下位置まで操作した手がコック８に当たって、コック８が加圧操作時に不用意に開かれてしまうようなことを防止することができる。操作部１４はまた、コック８が位置する側とは逆の方向に向く指掛け部１４ａを持っている。これにより、サーバを使用するのに通常、断熱容器１のコック８を持っている側と向き合うことになるが、この位置関係にて操作部１４を操作するのに操作部１４の上に載せた手の指先を下向きに折り曲げて引っ掛けると、操作部１４を上下操作するのに好都合である。指掛け部１４ａが操作部１４の最下位置で蓋１３の天面１３ａとの間に隙間Ｓがあると、操作部１４を上下動操作するのに指掛け部１４ａに掛けた指先が指掛け部１４ａと蓋１３の天面１３ａとの間で詰めてしまうようなことを防止することができる。このために、蓋１３の天面１３ａの一部は操作部１４を最下位置に受け止めてそれ以上の操作を規制しながら、指掛け部１４ａと対向する部分では一段低くなって指掛け部１４ａとの間に上記隙間Ｓが生じるようにしている。
【００３３】
容器本体１２は実施例１〜４において全て真空二重容器３０を備えており、ステンレス鋼を用いた金属製であって、軽量かつかさ低いもので断熱効果の高いものとすることができる。実施例１では特に金属製の真空二重容器３０の口部と無理嵌め部３１を持って結合した樹脂製の肩リング３２と、真空二重容器３０を収容した樹脂製の外装ケース３３とをねじ合わせ部３４または無理嵌め部にて結合することにより、前記容器本体１２を形成している。蓋１３は樹脂製の外蓋３５とその内側に保温空間３６を残して位置する内蓋３７でポンプ３および飲料供給路５を持って構成し、外蓋３５の下向きな下端３５ａと内蓋３７の下端にある外向きのフランジ３７ａとの間に樹脂製の回転リング３８の上端の内向きのフランジ３８ａを回転できるように挟み込んで保持している。回転リング３８は前記肩リング３２の外周に嵌り合って、互いの連続した、または不連続なヘリコイド凸条３２ｃ、３８ｃどうしの少しの回動を伴うねじ合わせや係合によって容器本体１２に対し双方が突き当たる状態まで容器本体１２側に引き付けて分離可能なように結合できるようにしている。フランジ３７ａにはシールパッキング３９が装着され、前記結合状態でこのシールパッキング３９が肩リング３２の上端に圧着されて容器本体１２および蓋１３が構成する断熱容器１内を密閉することができる。なお、シールパッキング３９は肩リング３２の側に装着してもよい。
【００３４】
この蓋１３の容器本体１２への装着による結合は、蓋１３を容器本体１２に被せながら、容器本体１２に収容しているビール缶２の飲み口４に飲料供給路５の一端を差し込んでいって肩リング３２に近づけ、回転リング３８、肩リング３２どうしのヘリコイド凸条３２ｃ、３８ｃをねじ合わせまたは係合させて行なうが、前記飲料供給路５をビール缶２の飲み口４に差し込む関係で、前記結合に際して蓋１３が回動するとビール缶２とこれに差し込んでいる飲料供給路５との位置関係がねじれて飲料供給路５が浮き上がりビール６の全量を注出できないようなことが生じかねない。
【００３５】
そこで、蓋１３を容器本体１２に結合するには、蓋１３を片手で把持して回り止めして容器本体１２に押し付けながら、回転リング３８を回動させて前記の肩リング３２とのねじ合わせないしは係合を行なわせる。これによって、上記のようにビール缶２とそれに差し込んだ飲料供給路５との位置関係にひねりが生じるようなことを防止することができる。
【００３６】
さらに、前記ねじ合わせや係合による蓋１３の装着、結合において、過剰な結合は損傷や取り外しの困難を招いたりするし、結合不良や不足があると加圧やビール６中の炭酸の漏れが生じるので、これも問題である。そこで、適正な結合が達成できるように、前記蓋１３のねじ合わせや係合が開始する位置が一定するようにヘリコイド凸条３２ｃ、３８ｃを設計しておくとともに、この位置から所定の結合が達成される回動位置にて肩リング３２および回転リング３８上のつまみ３２ｂ、３８ｂの双方が上下に一致するようにしておく、これにより、過不足ない結合が行なわれる。もっとも、結合の最終位置で、蓋１３側の一部が容器本体１２側の一部に当たってそれ以上結合操作できないようにすることもできる。そのような当たりはヘリコイド凸条３２ｃ、３８ｃのねじ合わせや係合の最終端部に設けておけばよい。しかし、肩リング３２や回転リング３８の外周部どうしに設けて当たりが外観できるようにしてもよい。つまみ３２ｂ、３８ｂは容器本体１２や蓋１３を単体で取り扱うときの把持部として便利であるし、それらを片方の手の２つの指でつまんで結合側に押動するようひねるなどして前記結合操作に利用することもできる。また、蓋１３を回動して結合する動作に対しビール缶２が従動または供回りするようにすれば、上記のような回転リング３８は不要となる。蓋１３を取り外すには回転リング３８を前記とは逆向きに回転させて、ヘリコイド凸条３２ｃ、３８ｃどうしのねじ合わせや係合を外せばよいが、断熱容器１内が加圧状態であると、前記ねじ合わせ部や係合部にその圧力による圧着が生じていて回しにくいので、これがかえって、圧力を開放しないで蓋１３を取り外さない安全対策に利用することができる。圧力の開放はコック８を開ければよいが、ビール６の注出に関わらない系統の弁を設けるか安全弁４４を操作できるようにするかして対応することもできる。もっとも感圧部材により圧力が開放されるまで自動的に回転リング３８の回転を阻止しておくようにもできる。
【００３７】
ポンプ３は内蓋３７に一体成形した縦向きのシリンダ４１内に外蓋３５の外部からピストン４２を挿入して構成し、ピストン４２をこれに連結した前記操作部１４により上下動操作することにより、その下動操作の都度シリンダ４１の底部の吐出孔４３から断熱容器１内に加圧空気が送り込まれ、断熱容器１内を適当な圧力まで加圧しておけるようにしている。内蓋３７の上部には断熱容器１内が過剰な圧力になると開いて圧力を外部に逃がす安全弁４４が設けられており、使用の安全が図れるようになっている。もっとも、安全弁４４から圧力が排出されるまで加圧するといったように、加圧停止の目安にすることもできる。
【００３８】
ピストン４２のロッド４２ａは横断面が非円形、実施例では十字形をなして外蓋３５を貫通して回り止めされ、操作部１４の向きが変化するようなことがないようにしている。コック８はビール６の泡の調節に好適なものとしてあり、上向きのレバータイプの操作部８ａを有し、飲料供給路５の他端側を形成し、外蓋３５および内蓋３７の双方に対し、ブッシュ４６とナット４７とによって取り付けられている。
【００３９】
断熱容器１は図１に示すように専用の金属または樹脂よりなる台座１５１に形成された凹部１５１ａに嵌め合わせて安定した状態で使用できるようにし、台座１５１の今１つの凹部１５１ｂは断熱容器１におけるコック８の注出口８ｂの真下に対応しており、滴受け４８を着脱できるように嵌め合わせてある。
【００４０】
図３に示す実施例２では、容器本体１２自体が真空二重容器３０であって、外装体を設けない分だけさらにかさ低く安価なものになる。ポンプ３はベローズ５１の伸縮を利用したもので、ベローズ５１は復元ばね５２により常に上動復帰されるため、押し下げ操作だけして断熱容器１内を加圧することができる。ベローズ５１は加圧に耐えやすいようにまわりを金属線５３などでバックアップするのが好適である。蓋１３はポンプ３および飲料供給路５を持った単体を容器本体１２の肩リング３２の上端との着脱できる無理嵌め部５４によって着脱できるように装着してある。
【００４１】
図４に示す実施例３は、真空二重容器３０が胴部内径よりも径の小さな口３０ａを持った保温に有利な形状のものを採用しており、ベローズ５１によるポンプ３を内蔵した蓋１３を肩リング３２の後部にヒンジピン６１により容器本体１２を開閉できるように軸支して設けられ、外部操作できるロック部材６５により閉じ位置に係止できるようにしてある。蓋１３の内側に真空二重容器３０の口３０ａに着脱できるように嵌め合わせた栓６２に飲料供給路５を設け、飲料供給路５の他端が肩リング３２の前部に張り出した張り出し部にある注液パイプ６３内に注出したビール６を流し込み供給するようにしている。ポンプ３は栓６２に設けられた加圧通路６４を通じて断熱容器１内を加圧する。なお、ビール缶２は模式的に示してあり、口３０ａよりも径が大きくなっているが、実際はそのような寸法関係になるようなことはない。
【００４２】
図５に示す実施例４は、蓋１３は実施例３と同様な容器本体１２の肩リング３２の上端に着脱できる無理嵌め部７１にて着脱できるように装着される樹脂製の平らな１枚構造をなし、それの上面にベローズ５１によるポンプ３を直付けして露出したままとしてあり、一部に飲料供給路５を貫通させて保持するようにしている。構造が最も簡単で最も安価に本発明が実現する。
【００４３】
なお、上記各実施例において断熱容器１は市販されているビール缶２の最大のサイズのものが収容して使用できる大きさにしておくと、どのようなサイズのもにも適用できるし、複数入るサイズのものは複数入れておける。この場合、使用するものを開封順次に開封するようにできる。
【００４４】
【発明の効果】
本発明によれば、上記の説明で明らかなように、断熱容器に開封した飲料容器を出し入れできるように収容して、ポンプと飲料供給路とを持った蓋で密閉するのに併せ、前記密閉の手順上飲料供給路の一端を飲料容器内にその開封口を通じ臨ませておき、断熱容器内をポンプにより加圧空気を送り込んで加圧してそれが収容した飲料容器にその開封口を通じて及ぶようにするので、飲料容器がアルミニウム製の缶など変形しやすい不安定なものであってもその中の飲料を確実に加圧することができ、飲料容器内からその開封口を経て断熱容器の外部に至る飲料供給路を通じて飲料容器内の飲料を前記加圧により押し出して注出し供給することができ、安価に実現するとともに使用に安全であり、ランニングコストも掛からないので、家庭などで個人的に用いるのに好適である。しかも、飲料が温められ、冷やされたものであればそのまま、常温のものでも蓄熱材や発熱触媒などの熱源、あるいは氷入り冷水などの冷熱源と共に収容して断熱容器の断熱機能によって効果的に保温や保冷が長時間効率よくできるし、断熱容器は基本的に飲料容器を収容して加圧できる程度のものでよいので大型化なものにならず、手軽に繰り返し使用することができ家庭などで個人的に利用するのに好適である。また、飲料容器が外にでないので体裁がよくホームバー的な雰囲気を作り出すのに好適である。特に、飲料供給路はコックにより常時閉じて前記加圧状態を保持しておき、注出コックが開かれる都度、飲料容器内の飲料を前記加圧状態によって注出するようにもでき、営業用に近い機能が安価に実現でき使用しやすい。その際コックとの直下に位置する引き回し部を経て注出させられる。また、常時コックが閉じていることによって、断熱容器内の圧力が高い状態に保たれ、常圧の場合に比べると飲料中に溶存可能な飽和炭酸量を多くすることができ、飲料がビールや炭酸飲料などであっても炭酸が発散するのを防止することもできる。
【図面の簡単な説明】
【図１】本発明における実施例１に係る飲料供給方法とそれに用いる飲料サーバを示す断面図である。
【図２】図１の飲料サーバの平面図である。
【図３】本発明における実施例２に係る飲料供給方法とそれに用いる飲料サーバを示す断面図である。
【図４】本発明における実施例３に係る飲料供給方法とそれに用いる飲料サーバを示す断面図である。
【図５】本発明における実施例４に係る飲料供給方法とそれに用いる飲料サーバを示す断面図である。
【図６】本発明における変形例の容器ホルダとビール缶および氷の容器との関係を示す斜視図である。
【符号の説明】
１  断熱容器
２  ビール缶
３  ポンプ
４  飲み口
５  飲料供給路
６  ビール
８  コック
１２  容器本体
１３  蓋
１３ａ  天面
１４  操作部
１４ａ  指掛け部
２０  接続部
２１  容器ホルダ
２１ａ  凹部
３２ｃ、３８ｃ  ヘリコイド凸条
５４、７１  無理嵌め部
Ｓ  隙間
【図１】
0004908676.tif 000002
【図２】
0004908676.tif 000003
【図３】
0004908676.tif 000004
【図４】
0004908676.tif 000005
【図５】
0004908676.tif 000006
【図６】
0004908676.tif 000007